(57)【特許請求の範囲】
【請求項１】
回転式エンコーダデータエントリ用ダイアルの前面部に、指先に嵌合する複数個の嵌凹部を設け、該嵌凹部に指先を掛合して該回転式エンコーダデータエントリ用ダイアルを回転可能にし、該回転式エンコーダデータエントリ用ダイアルの回転量に応じてエンコーダデータエントリ用のパルス信号を発生する回転式エンコーダデータエントリ用ダイアルにおいて、
前記複数個の嵌凹部の前面側表面にそれぞれ電気的導通性の有る導通部材を付着し、該導通部材に指先が触れたことを検知するタッチ検出手段と、該タッチ検出手段の検出出力により、何れの嵌凹部の導通部材に指先が触れたかを判定するタッチポジション判定手段とを備えたことを特徴とする回転式エンコーダデータエントリ用ダイアル。
【請求項２】
前記回転式エンコーダデータエントリ用ダイアルの嵌凹部の導通部材に指先が触れることにより発生する交流配電ノイズ成分の信号を、該ダイヤルの後面に導き、該ダイヤルの後面に付着したリング状パターンの導電部材と該導電部材に接触する接触子とにより、該導通部材に指先が触れることにより発生する交流配電ノイズ成分の信号を取り出す手段を備えたことを特徴とする請求項１に記載の回転式エンコーダデータエントリ用ダイアル。
【請求項３】
前記タッチ検出手段は、電磁誘導コイル結合により非接触で外部から給電され、各嵌凹部の導通部材に指先が触れた場合に、それぞれの嵌凹部の導通部材毎に異なる断続周期の信号を発生する発光素子と、該発光素子の信号を受信する受光素子とを備えたことを特徴とする請求項１又は２に記載の回転式エンコーダデータエントリ用ダイアル。
【請求項４】
前記タッチ検出手段により、前記嵌凹部の導通部材の何れかに指先が触れたことを検出した場合のみに、前記回転式エンコーダデータエントリ用ダイアルの回転量に応じたエンコーダデータエントリ用のパルス信号の発生を有効化する手段を備えたことを特徴とする請求項１乃至３の何れかに記載の回転式エンコーダデータエントリ用ダイアル。
【請求項５】
前記回転式エンコーダデータエントリ用ダイアルの前面側に点灯表示する発光ダイオードを設け、前記タッチ検出手段により、前記嵌凹部の導通部材の何れかに指先が触れたことを検出した場合に、該発光ダイオードを点灯させるタッチ検出確認表示手段を備えたことを特徴とする請求項１乃至４の何れかに記載の回転式エンコーダデータエントリ用ダイアル。
【請求項６】
前記タッチ検出確認表示手段は、前記回転式エンコーダデータエントリ用ダイアルの後面に付着したリング状パターンの導電部材と該導電部材に接触する接触子とを介して給電されるようにしたことを特徴とする請求項５に記載の回転式エンコーダデータエントリ用ダイアル。
【請求項７】
前記タッチ検出確認表示手段は、前記回転式エンコーダデータエントリ用ダイアルの後面側に設けた電磁誘導コイルを介し、電磁誘導結合により非接触で外部から給電されるようにしたことを特徴とする請求項５に記載の回転式エンコーダデータエントリ用ダイアル。
【発明の詳細な説明】
【０００１】
【発明の属する技術分野】
本発明は、回転式エンコーダデータエントリ用ダイアルに関し、例えば、ラジオ受信機等において受信帯域をＡＭ、ＦＭ又はＴＶの何れかに切替えて希望の番組を選局するための同調周波数データを入力する場合、或いは、電圧又は電流等を計測する測定機において、測定範囲を設定するための数値データを入力するに当たって、粗調整用の数値データ入力用、微調整用の数値データ入力用の何れかを切替えて所望の数値データを入力するなど、種々の電子又は電気機器に種類の異なる数値データを入力・設定したり、種類の異なる複数の項目データの入力又はアクセスを行うための回転式エンコーダデータエントリ用ダイアルに関する。
【０００２】
【従来の技術】
従来のラジオ受信機等において、受信帯域をＡＭ、ＦＭ又はＴＶの何れかに切替え、希望の番組を選局するために同調周波数データを入力する場合、受信帯域をＡＭ、ＦＭ又はＴＶの何れかに切替えるための切替えスイッチを操作した後、回転式エンコーダデータエントリ用ダイアルを操作して番組を選局しなければならなかった。
【０００３】
一般に、回転式エンコーダデータエントリ用ダイアルは、該ダイアル１回転当たりに２５パルス、多いものでも５０パルス程度のパルス信号を発生し、発生パルス信号数に応じて各種の数値等のデータが設定・入力されるようにしたものであるが、電圧測定機等において、例えば、０．００Ｖから５００．００Ｖまでの測定範囲で０．０１Ｖ刻みで５００．００Ｖ近辺の所望の測定範囲を設定するする場合、１回転で２５パルス発生する回転式エンコーダデータエントリ用ダイアルでは、約２０００回近く回転しなければならず、非常に面倒なものとなる。
【０００４】
そこで、ダイアル１回転当たりに発生するパルス信号数を多くし、少ない回転で大きな数値データを設定し得るようにすることも可能だが、ダイアル１回転当たりのパルス信号発生数を多くすると、精緻な部品を用いなければならなくなるるため高価になるばかりでなく、正確な数値データのエントリーにおいて、極めて微小な回転角でダイアルを微調整しなければならず、微調整が非常に厄介なものとなってしまう。
【０００５】
そのため、ダイアル１回転当たりに発生するパルス信号数を切替えスイッチにより、例えば３段階程度で切替わるようにし、粗調整用の数値データ入力用、中間精度調整用の数値データ入力用、微調整用の数値データ入力用の何れかに切替えて、回転式エンコーダデータエントリ用ダイアルにより所望の数値データを設定する構成が採られている。
【０００６】
【発明が解決しようとする課題】
従来のラジオ受信機等において、受信帯域をＡＭ、ＦＭ又はＴＶの何れかに切替えて選局データを入力する場合、受信帯域の種類を切替える切替えスイッチの操作と、回転式エンコーダデータエントリ用ダイアルを回転して選局データを設定する数値設定操作との２回の操作を行わなくてはならず、操作が煩雑であるとともに、回転式エンコーダデータエントリ用ダイアルのほかに切替えスイッチを設けなければならないため、その分、装置の小型化を困難にしていた。
【０００７】
また、従来の測定機等において、粗調整用の数値データ入力用、中間精度調整用の数値データ入力用、微調整用の数値データ入力用の何れかを切替えるスイッチの操作と、回転式エンコーダデータエントリ用ダイアルの操作との２つの操作を必要としたため、操作が煩雑であるとともに、入力精度をそれぞれの精度に切替えるための切替えスイッチを、回転式エンコーダデータエントリ用ダイアルのほかに設けなければならないため、装置の小型化を困難にしていた。
【０００８】
本発明は、ラジオ受信機や測定機等の種々の電子又は電気機器に、種類の異なる数値データ又は項目データの設定、入力又はアクセスを行う際に、その種類を切替えるスイッチを設けることなく該種類を判別して直ちに各種数値データ又は項目データの設定・入力又はアクセスを行うことが可能な回転式エンコーダデータエントリ用ダイアルを提供し、種々の電子又は電気機器への種類の異なる数値データ又は項目データの設定・入力又はアクセスを簡便に行えるようにすることを目的とする。
【０００９】
【課題を解決するための手段】
本発明の回転式エンコーダデータエントリ用ダイアルは、（１）回転式エンコーダデータエントリ用ダイアルの前面部に、指先に嵌合する複数個の嵌凹部を設け、該嵌凹部に指先を掛合して該回転式エンコーダデータエントリ用ダイアルを回転可能にし、該回転式エンコーダデータエントリ用ダイアルの回転量に応じてエンコーダデータエントリ用のパルス信号を発生する回転式エンコーダデータエントリ用ダイアルにおいて、前記複数個の嵌凹部の前面側表面にそれぞれ電気的導通性の有る導通部材を付着し、該導通部材に指先が触れたことを検知するタッチ検出手段と、該タッチ検出手段の検出出力により、何れの嵌凹部の導通部材に指先が触れたかを判定するタッチポジション判定手段とを備えたものである。
【００１０】
また、（２）前記回転式エンコーダデータエントリ用ダイアルの嵌凹部の導通部材に指先が触れることにより発生する交流配電ノイズ成分の信号を、該ダイヤルの後面に導き、該ダイヤルの後面に付着したリング状パターンの導電部材と該導電部材に接触する接触子とにより、該導通部材に指先が触れることにより発生する交流配電ノイズ成分の信号を取り出す手段を備えたものである。
【００１１】
また、（３）前記タッチ検出手段は、電磁誘導コイル結合により非接触で外部から給電され、各嵌凹部の導通部材に指先が触れた場合に、それぞれの嵌凹部の導通部材毎に異なる断続周期の信号を発生する発光素子と、該発光素子の信号を受信する受光素子とを備えたものである。
【００１２】
また、（４）前記タッチ検出手段により、前記嵌凹部の導通部材の何れかに指先が触れたことを検出した場合のみに、前記回転式エンコーダデータエントリ用ダイアルの回転量に応じたエンコーダデータエントリ用のパルス信号の発生を有効化する手段を備えたものである。
【００１３】
また、（５）前記回転式エンコーダデータエントリ用ダイアルの前面側に点灯表示する発光ダイオードを設け、前記タッチ検出手段により、前記嵌凹部の導通部材の何れかに指先が触れたことを検出した場合に、該発光ダイオードを点灯させるタッチ検出確認表示手段を備えたものである。
【００１４】
また、（６）前記タッチ検出確認表示手段は、前記回転式エンコーダデータエントリ用ダイアルの後面に付着したリング状パターンの導電部材と該導電部材に接触する接触子とを介して給電されるようにしたものである。
【００１５】
また、（７）前記タッチ検出確認表示手段は、前記回転式エンコーダデータエントリ用ダイアルの後面側に設けた電磁誘導コイルを介し、電磁誘導結合により非接触で外部から給電されるようにしたものである。
【００１６】
【発明の実施の形態】
図１は本発明の回転式エンコーダデータエントリ用ダイアルの構造を示す。同図の（ａ）は該ダイアルを前面側から見た図を示し、図の（ｂ）は図（ａ）のＡ−Ａ’で切断した断面と、その後部構造の概要を示している。同図に示すように、発明の回転式エンコーダデータエントリ用ダイアル１−１０は、指先に嵌合する複数個の嵌凹部１−１１，１−１２，１−１３を有する。
【００１７】
該嵌凹部１−１１，１−１２，１−１３それぞれの表面には、電気的に導通する金属等の導通部材でメッキ処理等による表面処理を施し、該導通部材を導線１−１４，１−１５，１−１６で後面の導電部材１−１７，１−１８，１−１９に導き、該後面の導電部材１−１７，１−１８，１−１９を後述のタッチ検出手段に接続して、嵌凹部１−１１，１−１２，１−１３の何れかに指先が触れたかを検知し得るように構成する。
【００１８】
従って、回転式エンコーダデータエントリ用ダイアル１−１０は、どの嵌凹部が選択されたかを指し示すことができるとともに、該嵌凹部に指先を掛合させて該ダイアル１−１０を回転させることにより、所望のエンコーダデータをエントリすることができる。
【００１９】
該ダイアル１−１０の後部には、同図（ｂ）に示すように、同心軸に円盤状のスリット円盤１−２０が取り付けられ、該スリット円盤１−２０は多数のスリットを有し、ダイアル１−１０の回転に伴って該スリット円盤１−２０が同じように回転する。
【００２０】
スリット円盤１−２０を挟んでその前後に発光素子１−２１と受光素子１−２２とが設けられ、スリット円盤１−２０の回転によって、発光素子１−２１からの光が断続的に遮断されて受光素子１−２２に受光され、該断続受光に応じた受光素子１−２２からのパルス信号をカウントすることにより、ダイアル１−１０の回転量を検知することができる。
【００２１】
図１に示した構成例では、ＦＭという印のある嵌凹部１−１１に指先を触れると、ＦＭ放送の周波数帯域の選局データがダイアル１−１０の回転に伴って発生し、ＡＭという印のある嵌凹部１−１２に指先を触れると、ＡＭ放送の周波数帯域の選局データがダイアル１−１０の回転に伴って発生する。
【００２２】
同様にＴＶという印のある嵌凹部１−１３に指先を触れると、テレビ放送の周波数帯域の選局データがダイアル１−１０の回転に伴って発生する。このように、ワンタッチで希望の放送種別の選択とその選局データの設定とを行うことが可能となる。
【００２３】
図２は本発明によるダイアルの各嵌凹部の導通部材をタッチ検出部に導く構成を示す。前述したように、本発明の回転式エンコーダデータエントリ用ダイアル１−１０の各嵌凹部導通部材に、導線で接続された後面の導電部材１−１７，１−１８，１−１９には、ダイアル１−１０の裏面側に固設された接触子２−１１，２−１２，２−１３が当接し、該接触子２−１１，２−１２，２−１３をタッチ検出部２−１に接続する。
【００２４】
従って、ダイアルの各嵌凹部の導通部材から、後面の導電部材１−１７，１−１８，１−１９及び接触子２−１１，２−１２，２−１３を介して得られる電気信号がタッチ検出部２−１に入力される。タッチ検出部２−１は、ダイアルの各嵌凹部の導通部材に指先が触れたことによって、約５０Ｈｚ又は６０Ｈｚの交流配電ノイズ成分の信号が大きく入力されることを検知し、これによって何れの嵌凹部に指先が触れたのかを検知する。
【００２５】
図３は本発明のタッチ検出部の構成例を示す。タッチ検出部は、ダイアルの後面の導電部材１−１７，１−１８，１−１９及び接触子２−１１，２−１２，２−１３を介して得られる各電気信号を入力し、それぞれナンドゲート３−１，３−２，３−３の入力端子に導く。
【００２６】
各ナンドゲート３−１，３−２，３−３の他方の入力端子には、それぞれ例えば、１ＫＨｚ，２ＫＨｚ，４ＫＨｚのパルス信号を入力し、各ナンドゲート３−１，３−２，３−３の出力を、逆流防止ダイオードを介して発光ダイオード３−４に接続し、発光ダイオード３−４の他端は抵抗を介して電圧源＋Ｖｃｃ１に接続する。
【００２７】
タッチ検出部の電圧源＋Ｖｃｃ１は、電磁誘導コイル３−５により結合して非接触で外部から給電されるようにし、該電磁誘導コイル３−５により誘起される誘導電圧を整流して各ナンドゲート３−１，３−２，３−３及び発光ダイオード３−４に給電する。
【００２８】
各ナンドゲート３−１，３−２，３−３は、ダイアルの１つの嵌凹部導通部材に指先が触れたことによって、それに対応した接触子２−１１，２−１２，２−１３の１つに約５０Ｈｚ又は６０Ｈｚの交流配電ノイズ成分の信号が入力され、該交流配電ノイズ成分の信号が入力された１つのナンドゲートが、１ＫＨｚ，２ＫＨｚ又は４ＫＨｚの何れかのパルス信号を、５０Ｈｚ又は６０Ｈｚの矩形波で変調した形の波形として出力する。
【００２９】
発光ダイオード３−４は、ナンドゲート３−１，３−２，３−３の何れかから出力される１ＫＨｚ，２ＫＨｚ又は４ＫＨｚのパルス信号に応じて、それと同一周波数の光パルスを発光する。発光ダイオード３−４により発光される光パルスをフォトダイオードなどの受光素子３−６により受光し、該受光素子３−６から出力されるパルス信号の周波数を周波数判定部３−７で判定することにより、回転式エンコーダデータエントリ用ダイアルの何れの嵌凹部導通部材が触れられたのかを判定する。
【００３０】
回転式エンコーダデータエントリ用ダイアルに設けた２個又はそれ以上の嵌凹部導通部材は、上述したようにＦＭ，ＡＭ，ＴＶ等の受信バンド切替えの選択機能以外に、電圧等を計測する計測器の測定範囲を設定するための数値データの入力における微調整用と粗調整用との切替えに使用することができる。
【００３１】
回転式エンコーダデータエントリ用ダイアルを回転したときに、スリット円盤によって例えば１回転当たり２５パルス発生する場合、調整精度を３段階として微調整用、中調整用、粗調整用の３つの嵌凹部導通部材を設けたとすると、微調整用の嵌凹部導通部材に指先が触れたときは、１回転当たり２５パルスのパルスをそのまま出力し、中調整用の嵌凹部導通部材に指先が触れたときは、１回転当たり２５パルスのパルスを２倍に逓倍して１回転当たり５０パルスのパルスとして出力し、粗調整用の嵌凹部導通部材に指先が触れたときは、１回転当たり２５パルスのパルスを５倍に逓倍して１回転当たり１２５パルスのパルスとして出力する。こうすることにより、どの嵌凹部導通部材に触れてダイヤルを回転するかによって、エンコーダデータエントリー量を可変にすることができる。
【００３２】
なお、指先が触れた各嵌凹部導通部材毎に異なるエンコーダデータエントリー量のパルス信号を発生するのに、上記のように異なる逓倍回路を用いる方法以外に、指先が触れた各嵌凹部導通部材毎に異なる分周を行う分周回路を用いて、各嵌凹部導通部材毎に異なる数のパルス信号が発生するようにしても良い。
【００３３】
更に、複数個の嵌凹部導通部材を有する回転式エンコーダデータエントリ用ダイアルを、電話機やファクシミリ等の電話番号リストへのアクセスに適用することにより、例えば、第１のポジションの嵌凹部導通部材を触れたときは、取引先の顧客電話番号リスト、第２のポジションの嵌凹部導通部材を触れたときは、仕事場や職場の連絡先電話番号リスト、第３のポジションの嵌凹部導通部材を触れたときは、個人の私的な関係者の連絡先電話番号リスト等にワンタッチでアクセスすることが可能となる。
【００３４】
そのほか、幾つかのグループに分類された多数の項目にアクセスする際に、各グループ対応にエンコーダデータエントリ用ダイアルの嵌凹部導通部材を割り当て、該嵌凹部導通部材の１つに指先を触れることにより、それに対応するグループ内の項目の中からダイアルによって項目を選定するといった装置に適用することにより、ワンタッチで所望の項目を選定することができるようになる。
【００３５】
更に、嵌凹部導通部材に指先を触れながらダイアルを回転したときにのみ、回転式エンコーダデータエントリ用ダイアルの回転量に応じたエンコーダデータエントリ用のパルス信号の発生を有効化する手段を備えることにより、何らかの原因でダイアルの外周部が何物かに触れてダイヤルが回転して誤まったエンコーダデータがエントリされてしまうのを防ぎ、誤動作防止の機能を具備する構成とすることができる。
【００３６】
また、回転式エンコーダデータエントリ用ダイアルの前面側に点灯表示する発光ダイオードを設け、前述のタッチ検出部により、嵌凹部の導通部材の何れかに指先が触れたことを検出した場合に、該発光ダイオードを点灯させるタッチ検出確認表示手段を備えることにより、タッチ検出部で指先の接触を検知したことを使用者に確認表示することが可能となる。
【００３７】
この場合、上記タッチ検出確認表示手段への給電を、図２又は図３に示したような、回転式エンコーダデータエントリ用ダイアルの後面に付着したリング状パターンの導電部材１−１７，１−１８，１−１９と該導電部材に接触する接触子２−１１，２−１２，２−１３の何れか２つを介して直流給電するように構成することができる。
【００３８】
また、上記タッチ検出確認表示手段への給電を、図３の電磁誘導コイル３−５と同様の電磁結合手段によって非接触で外部から交流給電し、該交流源を整流して直流を給電する構成とすることもできる。
【００３９】
【発明の効果】
以上説明したように、本発明によれば、種類の異なる数値データ又は項目データの設定・入力又はアクセスを行う際に、回転式エンコーダデータエントリ用ダイアルに設けた複数個の嵌凹部導通部材への指先の接触を検知し、何れの嵌凹部導通部材に指先が触れたかを判定し、希望エントリデータの種類を直ちに判別することにより、種類の異なる各種数値データ又は項目データの設定・入力又はアクセスを簡便に行うことができる。また、希望エントリデータの種類を切替える切替えスイッチを設ける必要がないので、その分のスペースが不要となり、装置の小型化が容易となる。
【図面の簡単な説明】
【図１】本発明の回転式エンコーダデータエントリ用ダイアルの構造を示す図である。
【図２】本発明によるダイアルの各嵌凹部の導通部材をタッチ検出部に導く構成を示す図である。
【図３】本発明のタッチ検出部の構成例を示す図である。
【符号の説明】
１−１０  回転式エンコーダデータエントリ用ダイアル
１−１１，１−１２，１−１３  嵌凹部
１−１４，１−１５，１−１６  導線
１−１７，１−１８，１−１９  導電部材
１−２０  スリット円盤
１−２１  発光素子
１−２２  受光素子
【図１】
0003823295.tif 000002
【図２】
0003823295.tif 000003
【図３】
0003823295.tif 000004